(57)【要約】【課題】本願発明が解決しようとする課題は、様々な楽曲に合わせて、掲揚又は降納の動作時間を調整することを容易に実現する旗掲揚装置を提供することである。【解決手段】予め設定された掲揚開始位置と掲揚完了位置との間で前記旗の昇降をさせる昇降機構と、前記昇降の動作の調整をする制御手段と、を含む旗の掲揚又は降納をする旗掲揚装置。【選択図】図１
2018031900.tif 000002
【特許請求の範囲】
【請求項１】
旗の掲揚又は降納をする旗掲揚装置であって、
ａ）予め設定された掲揚開始位置と掲揚完了位置との間で前記旗の昇降をさせる昇降機構と、
ｂ）前記昇降の動作の調整をする制御手段と、
を含むことを特徴とする装置。
【請求項２】
前記制御手段は、前記掲揚開始位置と掲揚完了位置との間の移動時間を設定する移動時間設定手段を備え、前記調整は該移動時間で前記昇降を完了する昇降速度への速度設定を含むことを特徴とする請求項１に記載の装置。
【請求項３】
前記制御手段は、前記昇降の昇降速度を変更する速度変更手段を備え、前記調整は該昇降速度の増減を含むことを特徴とする請求項１又は２に記載の装置。
【請求項４】
前記速度変更手段による昇降速度の変更は、前記昇降の動作中においても、実行されることを特徴とする請求項３に記載の装置。
【請求項５】
前記制御手段は、前記昇降の動作パターンを設定するパターン設定手段を備え、前記調整は該動作パターンの選択を含むことを特徴とする請求項1乃至４のいずれかに記載の装置。
【請求項６】
前記動作パターンは、前記昇降の動作の完了に向けて所定の時間を掛けて減速して止まるパターン、所定の時間もしくは移動距離ごとに小休止を繰り返し昇降するパターンから選ばれる少なくとも１つを含むことを特徴とする請求項５に記載の装置。
【請求項７】
前記旗の掲揚又は降納をする際に演奏する楽曲の楽曲情報の設定をする楽曲設定手段をさらに含むことを特徴とする請求項1乃至６のいずれかに記載の装置。
【請求項８】
前記楽曲情報は、演奏時間を含むことを特徴とする請求項７に記載の装置。
【請求項９】
前記楽曲設定手段は、前記楽曲情報から演奏時間を検索し、該楽曲情報に追加設定することを特徴とする請求項７に記載の装置。
【請求項１０】
前記調整は、前記掲揚又は降納に係る速度の増減をすることにより、前記掲揚開始位置と掲揚完了位置との間の移動時間と前記演奏時間との差を所定の範囲にする移動演奏調整を含むことを特徴とする請求項８又は９のいずれかに記載の装置。
【請求項１１】
前記昇降機構は、電気、油圧、水圧、空気圧、ゴム、発条、重力から選ばれる少なくとも１つによるの動力で動作することを特徴とする請求項1乃至１０のいずれかに記載の装置。
【請求項１２】
前記調整は、前記動力に対する電気的制御、電子的制御、機械的な制御から選ばれる少なくとも１つの動力制御により実行されることを特徴とする請求項1乃至１１いずれかに記載の装置。
【請求項１３】
前記楽曲を演奏する楽曲演奏手段をさらに備え、前記楽曲情報に係る楽曲を前記掲揚又は降納に係る場所に伝達することを特徴とする請求項1乃至１２いずれかに記載の装置。
【請求項１４】
前記昇降機構は、音声スイッチを備え、所定の音圧を検知したときに前記昇降の動作を開始することを特徴とする請求項1乃至１３いずれかに記載の装置。
【請求項１５】
前記昇降機構は、前記楽曲演奏手段と接続した音声スイッチを備え、前記楽音の信号を検知したときに前記昇降の動作を開始することを特徴とする請求項１３に記載の装置。
【発明の詳細な説明】
【技術分野】
【０００１】
本発明は、楽曲と連動させて旗の掲揚又は降納を行う装置に関するものである。
【背景技術】
【０００２】
様々な行事において楽曲とともに旗の掲揚又は降納をすることが行われている。例えば、学校において校旗を掲揚するに際して校歌が流される。あるいは、オリンピックの表彰において、勝者を称えるため、国旗掲揚とともに国歌が流される。
【０００３】
ここで、旗掲揚又は降納の際に流す楽曲は様々であり、楽曲に合わせて掲揚又は降納の動作をタイミングよく実行することは難しい作業となる。先の例に挙げたオリンピックにおいて勝者となる者の国籍は様々であり、その国の国歌はあまり知られていない場合もある。そうしたあまり知られていない国歌に合わせてタイミングよく掲揚することは難しく、実際の場面においても、楽曲完了より早く掲揚完了したり、楽曲の完了に遅れてしまったりして、参加者や観覧者等に違和感を覚えさえるようなことがしばしば起こっている。
【０００４】
特許文献１において、時計文字盤の数字をカレンダーの日付の数字として比喩的に表示するマンスリーカレンダーの表示板において及び、時計の時間作動操作設定をからくり装置に活用させた手段においてマンスリーカレンダーの表示板１に国旗掲揚ポール２を立設させ、該ポール２頂点に固設した滑車に、国旗を固着させた掲揚綱の一端を国旗掲揚リール軸棒に、他端を国旗国旗降納リール軸棒にそれぞれ固着懸架させ、時計の時間作動操作の設定により、モーターを作動させ、該モーターに連動させたギア比の設定により、前記掲揚綱を掲揚リール軸及び降納リール軸棒に交互に巻着させ、また前記国旗を固着させた掲揚綱を、国旗掲揚時及び降納時に、巻着作動する国旗掲揚リール軸及び降納リール軸棒と国歌演奏装置とを連動させた国旗掲揚及び降納自動装置が提案されている。
ここで国旗掲揚軸及び国旗降納軸棒をモータ−軸に連動させたギアをより大きなギア比に変換させ国歌演奏時間に合わせた回転速度でゆっくり巻き取る機構となっている。
しかしながら、特許文献１における楽曲は固定されたものであり、様々な楽曲に合わせて設定できるものではなかった。
【先行技術文献】
【特許文献】
【０００５】
【特許文献１】特開平6-236158号公報
【発明の概要】
【発明が解決しようとする課題】
【０００６】
本願発明が解決しようとする課題は、旗掲揚又は降納の際に流す楽曲に対応して、その楽曲に合わせて掲揚又は降納の動作をタイミングよく実行する旗掲揚装置を提供することである。
【課題を解決するための手段】
【０００７】
本発明の第１の観点によれば、旗の掲揚又は降納をする旗掲揚装置であって、
ａ）予め設定された掲揚開始位置と掲揚完了位置との間で前記旗の昇降をさせる昇降機構と、ｂ）前記昇降の動作の調整をする制御手段と、を含むことを特徴とする装置が、提供される。
このような装置により、昇降の速度、その速度の増減、動き出しのタイミング、途中の一時停止や完了停止のタイミングなどの動作の調整をすることで、旗の掲揚又は降納を楽曲に合わせることを可能にする効果がある。
【０００８】
前記制御手段は、前記掲揚開始位置と掲揚完了位置との間の移動時間を設定する移動時間設定手段を備え、前記調整は該移動時間で前記昇降を完了する昇降速度への速度調整を含むとしてもよい。
【０００９】
前記制御手段は、前記昇降の昇降速度を変更する速度変更手段を備え、前記調整は該昇降速度の増減を含むとしてもよい。
【００１０】
前記速度変更手段による昇降速度の変更は、前記昇降の動作中においても、実行されるとしてもよい。
【００１１】
前記制御手段は、前記昇降の動作パターンを設定するパターン設定手段を備え、前記調整は該動作パターンの選択を含むとしてもよい。
【００１２】
前記動作パターンは、前記昇降の動作の完了に向けて所定の時間を掛けて減速して止まるパターン、所定の時間もしくは移動距離ごとに小休止を繰り返し昇降するパターンから選ばれる少なくとも１つを含むとしてもよい。
【００１３】
前記旗の掲揚又は降納をする際に演奏する楽曲の楽曲情報の設定をする楽曲設定手段をさらに含むとしてもよい。
【００１４】
前記楽曲情報は、演奏時間を含むとしてもよい。
あるいは、前記楽曲設定手段は、前記楽曲情報から演奏時間を検索し、該楽曲情報に追加設定するとしてもよい。
【００１５】
前記調整は、前記掲揚又は降納に係る速度の増減をすることにより、前記掲揚開始位置と掲揚完了位置との間の移動時間と前記演奏時間との差を所定の範囲にすることを含むとしてもよい。
【００１６】
前記昇降機構は、電気、油圧、水圧、空気圧、ゴム、発条、重力から選ばれる少なくとも１つによるの動力で動作するとしてもよい。
【００１７】
前記調整は、前記動力に対する電気的制御、電子的制御、機械的な制御から選ばれる少なくとも１つの動力制御により実行されるとしてもよい。
【００１８】
前記楽曲を演奏する楽曲演奏手段をさらに備え、前記楽曲情報に係る楽曲を前記掲揚又は降納に係る場所に伝達するとしてもよい。
【００１９】
前記昇降機構は、音声スイッチを備え、所定の音圧を検知したときに前記昇降の動作を開始するとしてもよい。
ここで音圧とは、マイク等の集音装置により拾われる、空気中を伝播してきた楽音の音圧や、音響装置とライン接続して、ラインを通して伝播してきた音圧などをいう。
【００２０】
前記昇降機構は、前記楽曲演奏手段と接続した音声スイッチを備え、前記楽音の信号を検知したときに前記昇降の動作を開始するとしてもよい。
【発明の効果】
【００２１】
本発明の旗掲揚装置によれば、様々な楽曲に合わせて、掲揚又は降納の動作時間を調整することを容易に実現する効果がある。
【図面の簡単な説明】
【００２２】
【図１】図１は、実施例１の旗掲揚装置の全体図である。
【図２】図２は、昇降機構ユニットの詳細図である。
【図３】図３は、制御ユニットの機能構成を示したブロック図である。
【図４】図４は、移動時間・昇降速度テーブルの一例である。
【図５】図５は、パターン識別子と対応する動作パターンを示した動作テーブルのー例である。
【図６】図６は、インタフェース部の外観図である。
【図７】図７は、楽曲設定ユニットの機能構成を示したブロック図である。
【図８】図８は、楽曲情報のデータ構造を示したブロック図である。
【図９】図９は、楽曲を掲揚又は降納に係る場所に伝達する楽曲演奏ユニットの機能構成を示したブロック図である。
【図１０】図１０は、楽曲設定ユニットと楽曲演奏ユニットを動作させず、旗掲揚装置の外部の演奏による楽曲に旗掲揚を合わせて動作させる場合のフローチャートである。
【図１１】図１１は、楽曲設定ユニットと楽曲演奏ユニットを動作させて、旗掲揚装置の演奏による楽曲に旗掲揚を合わせて動作させる場合のフローチャートである。
【発明を実施するための形態】
【００２３】
様々な楽曲に合わせて、掲揚又は降納の動作時間を調整することを容易に実現する旗掲揚装置の実施形態について実施例において説明する。
【実施例１】
【００２４】
（全体図）
図１は、実施例１の旗掲揚装置の全体図である。
旗掲揚装置は、設置場所１０００に略垂直に旗掲揚高さに立てられる支持部材１００１と、昇降機構ユニット１００２と、ユーザ１００４が操作する制御ユニット１００６と楽曲設定ユニット１００７とを備えた端末装置１００３と、楽曲演奏ユニット１００５とから構成される。
端末装置１００３は、無線通信又は特に図示しないラインにより昇降機構ユニット及び楽曲演奏ユニットとは接続している。
ここで支持部材として柱場の部材を採用しているが、本発明に係る支持部材はこれに限定されるものではない。室内会場であれば、天井等に係止した牽部材を支持部材とするなどの方式が、適宜変更されうる。
【００２５】
（昇降機構ユニットの詳細図）
図２は、昇降機構ユニット１００２の詳細図である。
昇降機構ユニット１００２は、支持部材１００１の下方の掲揚開始位置に設置した昇降装置２００１と、支持部材の上方の掲揚完了位置に設置した滑車２００２と、支持部材の軸方向へ移動可能に装着された旗２００３を保持する保持部材２００４と、一端を昇降装置の第１リール２００５に連結し、滑車２００２に掛け回され、他端を保持部材の上部に連結した牽部材２００６と、一端を昇降装置の第２リール２００７に他端を保持部材の下部に連結した牽部材２００８と、昇降動作の開始／停止を指示する手動スイッチ２００９と、後で説明する楽曲演奏ユニットの音圧を検知して昇降動作の開始させる音声スイッチ２０１０と、第１リールを回転させる電動モーター２０１１と、第１リールの変速装置２０１２と、第２リールを回転させる電動モーター２０１３と、第２リールの変速装置２０１４と、これら電動モーターに電力を供給する動力供給部２０１５を備えている。
【００２６】
昇降装置２００１は、電気を動力とするモーターによって、第1リール及び第２リールを回転させて、牽部材２００６及び２００８を巻き取り、巻き戻しをすることにより動作する構成となっている。
変速装置２０１２、２０１４としては、連続可変トランスミッション（CVT）を採用するが、本発明の昇降装置の昇降速度の制御はこれに限定されるものではなく、第１リール及び第２リールに加える動力そのものをブレーキ等により制御する方式、モーターに供給する電力を増減することにより制御する方式などが適宜採用されうる。
ここでは、動力源はとして、電気を採用し、モーターによって動作させる構成を採用したがこれに限定されるものではない。本発明の昇降装置の構成として、油圧、水圧、空気圧を動力源として第1リール及び第２リールを回転させる構成、ゴムや発条に溜めたエネルギーを開放することによって得られる動力によって第1リール及び第２リールを回転させる構成、あるいは所定の高所に持ち上げた錘の支えを開放することによって得られる重力エネルギーによって第1リール及び第２リールを回転させる構成などが適宜採用されうる。
【００２７】
また、昇降の方式は、ここで採用した第1リール及び第２リールを回転させて、牽部材を巻き取り、巻き戻しをすることにより動作する方式に限られるものではない。牽部材に直接連結した錘の重力エネルギーで動作する方式、油圧、水圧、空気圧によって支持部材を直接動作させる方式などが適宜採用されうる。
【００２８】
(制御ユニット)
図３は、制御ユニット１００６の機能構成を示したブロック図である。
制御ユニットは、移動時間設定部３００１、速度変更部３００２、パターン設定部３００３、移動演奏調整部３００４そしてインタフェース部３００５という機能構成部から構成される。
【００２９】
移動時間設定部３００１は、インタフェース部から入力がされた移動時間で前記昇降を完了する昇降速度を予め用意した移動時間・昇降速度テーブルを参照して決定し、昇降装置の昇降速度を制御する。
図４は、移動時間・昇降速度テーブルの一例である。ここでは、移動時間がｔ１からｔ５まで５段階で設けられており、その時間を実現するｖ１からｖ５で示された速度設定データが用意されている。
ここで速度設定データは、静止している昇降装置を起動し、モーターの特性に従って加速し、定速昇降し、減速して止まる一連のシークエンスを含むものをｖ１等の指標で示したものである。
ここでは、移動時間の設定を移動時間・昇降速度テーブルを参照して決定される速度設定データによって、設定する方式を採用しているが、これに限定されるものではなく、移動時間設定部が移動時間を実現する平均速度を演算し、その平均速度を実現するモーターの制御を決定する方式などが適宜採用されうる。
【００３０】
速度変更部３００２は、インタフェース部から入力された昇降速度の増減情報に従って昇降装置の昇降速度を制御する。
【００３１】
パターン設定部３００３は、インタフェース部から入力されたパターン識別子に関連付けして予め用意した動作パターンに従って昇降動作を制御する。
図５は、パターン識別子と対応する動作パターンを示した動作テーブルのー例である。ここでは「昇降動作の完了に向けて通常の速度設定の３倍の時間を掛けて減速して止まる。」というパターンP1と、「所定の距離ごとに小休止を繰り返し昇降する。」というパターンP２の動作データが用意されているが、本発明の動作パターンは、これに限定されることなく、「所定の時間ごとに小休止を繰り返し昇降する。」パターンなど適宜採用されうる。
【００３２】
移動演奏調整部３００４は、後で説明する楽曲設定ユニットにおいて設定された楽曲の演奏時間と移動時間との差が所定の範囲に収まるように前述の移動時間・昇降速度テーブルを参照して昇降速度を決定し、昇降装置を制御する。
ここでは移動時間・昇降速度テーブルを参照して昇降速度を決定し、昇降装置を制御する方式を採用しているが、本発明の移動時間と演奏時間との調整はこれに限られるものではなく、演奏時間と移動時間との差が所定の範囲に収まるように調整する方式が適宜採用されうる。
【００３３】
図６は、インタフェース部３００５の外観図である。
インタフェース部は、移動時間入力ノブ６００１、移動時間表示部６００２、昇降速度増減ノブ６００３、パターン選択ノブ６００４そしてパターン識別子表示部６００５から構成される。
ここでは、ハード的にノブや表示部を作り込むこととするが、本発明のインタフェース部はこれに限定されるものではなく、ソフト的にインタフェース画面を生成し、端末装置に設けた液晶表示等に設けて、ポインティングデバイス等により操作する方式やアクション可能なタッチパネルとして捜査する方式であってもよい。
【００３４】
上記機能構成部で示される制御ユニットの動作は、予め組み込まれたファームウエア等の制御プログラムが各機器の回路等のプロセッサーで実行され、当該機器や通信相手の機器の各種デバイスと協働することによって実現される。
また、これらのプログラムは、コンピュータで読み取り可能な記録媒体に記録され、当該プロセッサーによって記録媒体から読み出され、旗掲揚装置のユーザが操作すること又は旗掲揚装置を構成するデバイスからの信号を受信することをトリガに実行される。
【００３５】
（楽曲設定ユニット）
図７は、楽曲設定ユニット１００４の機能構成を示したブロック図である。
楽曲設定ユニットは、掲揚又は降納をする際に演奏する楽曲の楽曲情報の入力を受ける楽曲入力部７００１、入力された楽曲情報から演奏時間を抽出する演奏時間抽出部７００２そして入力された楽曲情報を後で説明する楽曲演奏ユニット１００５に送信する送信部７００３という機能構成部からなる。
【００３６】
（楽曲情報）
図８は、楽曲情報のデータ構造を示したブロック図である。
ここで楽曲情報として、楽曲識別子８００１、楽曲名８００２、楽曲音声データ８００３そして演奏時間８００４という構造を採用する。
ここでは演奏時間は、楽曲情報に含むデータ構造を採用しているが、本願発明に係る演奏時間はこれに限定されるものではない。楽曲名、演奏音声データ等の楽曲情報を基に検索された演奏時間を楽音情報に追加する方式を採用することも可能である。
【００３７】
上記機能構成部で示される楽曲設定ユニットの動作は、予め組み込まれたファームウエア等の制御プログラムが各機器の回路等のプロセッサーで実行され、当該機器や通信相手の機器の各種デバイスと協働することによって実現される。
また、これらのプログラムは、コンピュータで読み取り可能な記録媒体に記録され、当該プロセッサーによって記録媒体から読み出され、旗掲揚装置のユーザが操作すること又は旗掲揚装置を構成するデバイスからの信号を受信することをトリガに実行される。
【００３８】
（楽曲演奏ユニット）
図９は、楽曲を掲揚又は降納に係る場所に伝達する楽曲演奏ユニット１００５の機能構成を示したブロック図である。
楽曲情報受信部９００１、受信した楽曲情報に含まれる楽曲音声データを音声信号に再生する再生部９００２そして再生された音声信号を増幅して音声伝達するスピーカ９００３そして楽曲の音声伝達を開始させる演奏開始スイッチ９００４という構成である。
【００３９】
（動作フローチャート１）
図１０は、楽曲設定ユニットと楽曲演奏ユニットを動作させず、旗掲揚装置の外部の演奏による楽曲に旗掲揚を合わせて動作させる場合のフローチャートである。
演奏時間設定ステップ１０００１において、ユーザが制御ユニットのインタフェース部から演奏時間を入力する。
昇降速度設定ステップ１０００２において、移動時間設定部が、入力がされた移動時間で前記昇降を完了する昇降速度を予め用意した移動時間・昇降速度テーブルを参照して決定する。
外部演奏開始ステップ１０００３において、外部における演奏が開始されると、スイッチ入りステップにおいて、ユーザが昇降機構ユニットの手動スイッチを操作して昇降動作を開始させる。
速度変更ステップ１０００５において、必要に応じてユーザが制御ユニットのインタフェース部を操作して、昇降速度を増減させて、演奏速度と昇降速度を合わせる。
昇降完了ステップ１０００６において、旗掲揚に係る業務終了となる。
【００４０】
（動作フローチャート２）
図１１は、楽曲設定ユニットと楽曲演奏ユニットを動作させて、旗掲揚装置の演奏による楽曲に旗掲揚を合わせて動作させる場合のフローチャートである。
楽曲設定ステップ１１００１において、ユーザが、制御ユニットのインタフェース部から楽曲情報を入力する。
演奏時間抽出ステップ１１００２において、移動時間設定部が、入力された楽曲情報から移動時間を抽出する。
移動演奏調整ステップ１１００３において、移動演奏調整部が、演奏時間と移動時間との差が所定の範囲に収まるように移動時間・昇降速度テーブルを参照して昇降速度を決定する。
パターン設定ステップ１１００４において、パターン設定部３００３が、インタフェース部から入力されたパターン識別子に関連付けして予め用意した動作パターンで昇降装置を制御する設定をする。
演奏開始ステップ１１００５において、演奏が開始されると、音声スイッチが演奏の音圧を検知して、昇降機構ユニットの昇降動作を開始させる。
昇降動作ステップ１１００６において、移動演奏調整部及びパターン設定部が、決定または設定した昇降機構ユニットの動作により、演奏速度と昇降速度を合わせて旗掲揚を行う。
昇降完了ステップ１１００７において、旗掲揚に係る業務終了となる。
【００４１】
このような旗掲揚装置を提供することにより、様々な楽曲に合わせて、掲揚又は降納の動作時間を調整することを容易にする効果がある。
【産業上の利用可能性】
【００４２】
オリンピック等の国際的行事のために設ける会場、学校等の旗掲揚を行う施設に利用されることが期待される。
【符号の説明】
【００４３】
１００１  支持部材
１００２  昇降機構ユニット
１００３  制御ユニット
１００４  楽曲設定ユニット
１００５  楽曲演奏ユニット
【図１】
2018031900.tif 000003
【図２】
2018031900.tif 000004
【図３】
2018031900.tif 000005
【図４】
2018031900.tif 000006
【図５】
2018031900.tif 000007
【図６】
2018031900.tif 000008
【図７】
2018031900.tif 000009
【図８】
2018031900.tif 000010
【図９】
2018031900.tif 000011
【図１０】
2018031900.tif 000012
【図１１】
2018031900.tif 000013
【手続補正書】
【提出日】平成29年1月29日(2017.1.29)
【手続補正１】
【補正対象書類名】特許請求の範囲
【補正対象項目名】全文
【補正方法】変更
【補正の内容】
【特許請求の範囲】
【請求項１】
旗の掲揚又は降納をする旗掲揚装置であって、ａ）予め設定された掲揚開始位置と掲揚完了位置との間で前記旗の昇降をさせる昇降機構と、ｂ）前記昇降の動作の調整をする制御手段と、を備え、前記制御手段は、ユーザがインタフェース装置により前記掲揚開始位置と掲揚完了位置との間の移動時間を設定する移動時間設定手段を備え、前記調整は該移動時間で前記昇降を完了する昇降速度への速度設定を含むことを特徴とする装置
【請求項２】
前記制御手段は、前記掲揚又は降納の際に演奏する楽曲の楽曲情報の入力を受ける楽曲入力手段を備える楽曲設定手段をさらに備えることを特徴とする請求項１に記載の装置。
【請求項３】
前記制御手段は、前記昇降の昇降速度を変更する速度変更手段を備え、前記調整は該昇降速度の増減を含むことを特徴とする請求項１又は２に記載の装置。
【請求項４】
前記速度変更手段による昇降速度の変更は、前記昇降の動作中においても、実行されることを特徴とする請求項３に記載の装置。
【請求項５】
前記制御手段は、前記昇降の動作パターンを設定するパターン設定手段を備え、前記調整は該動作パターンの選択を含むことを特徴とする請求項1乃至４のいずれかに記載の装置。
【請求項６】
前記動作パターンは、前記昇降の動作の完了に向けて所定の時間を掛けて減速して止まるパターン、所定の時間もしくは移動距離ごとに小休止を繰り返し昇降するパターンから選ばれる少なくとも１つを含むことを特徴とする請求項５に記載の装置。
【請求項７】
前記楽曲設定手段は、前記旗の掲揚又は降納をする際に演奏する楽曲の楽曲情報の設定をすることを特徴とする請求項２に記載の装置。
【請求項８】
前記楽曲情報は、演奏時間を含むことを特徴とする請求項７に記載の装置。
【請求項９】
前記楽曲設定手段は、前記楽曲情報から演奏時間を抽出し、該楽曲情報に追加設定することを特徴とする請求項７に記載の装置。
【請求項１０】
前記調整は、ユーザがインタフェース装置により前記掲揚又は降納に係る速度の増減をすることにより、前記掲揚開始位置と掲揚完了位置との間の移動時間と演奏時間との差を調整する移動演奏調整を含むことを特徴とする請求項１に記載の装置。
【請求項１１】
前記昇降機構は、電気、油圧、水圧、空気圧、ゴム、発条、重力から選ばれる少なくとも１つによるの動力で動作することを特徴とする請求項1乃至１０のいずれかに記載の装置。
【請求項１２】
前記調整は、前記動力に対する電気的制御、電子的制御、機械的な制御から選ばれる少なくとも１つの動力制御により実行されることを特徴とする請求項１１に記載の装置。
【請求項１３】
前記楽曲を演奏する楽曲演奏手段をさらに備え、前記楽曲情報に係る楽曲を前記掲揚又は降納に係る場所に伝達することを特徴とする請求項２に記載の装置。
【請求項１４】
前記昇降機構は、音声スイッチを備え、所定の音圧を検知したときに前記昇降の動作を開始することを特徴とする請求項1乃至１３いずれかに記載の装置。
【請求項１５】
前記昇降機構は、前記楽曲演奏手段と接続した音声スイッチを備え、前記楽曲の信号を検知したときに前記昇降の動作を開始することを特徴とする請求項１３に記載の装置。 
【手続補正２】
【補正対象書類名】明細書
【補正対象項目名】０００７
【補正方法】変更
【補正の内容】
【０００７】
本発明の第１の観点によれば、旗の掲揚又は降納をする旗掲揚装置であって、
ａ）予め設定された掲揚開始位置と掲揚完了位置との間で前記旗の昇降をさせる昇降機構と、ｂ）前記昇降の動作の調整をする制御手段と、を備え、前記制御手段は、ユーザがインタフェース装置により前記掲揚開始位置と掲揚完了位置との間の移動時間を設定する移動時間設定手段を備え、前記調整は該移動時間で前記昇降を完了する昇降速度への速度調整を含むことを特徴とする装置が、提供される。
このような装置により、昇降の速度、その速度の増減、動き出しのタイミング、途中の一時停止や完了停止のタイミングなどの動作の調整をすることで、旗の掲揚又は降納を楽曲に合わせることを可能にする効果がある。
【手続補正３】
【補正対象書類名】明細書
【補正対象項目名】０００８
【補正方法】変更
【補正の内容】
【０００８】
上記掲揚又は降納の際に演奏する楽曲の楽曲情報の入力を受ける楽曲入力手段を備える楽曲設定手段をさらに備えるとしてもよい。
【手続補正４】
【補正対象書類名】明細書
【補正対象項目名】００１４
【補正方法】変更
【補正の内容】
【００１４】
上記楽曲情報は、演奏時間を含むとしてもよい。
あるいは、前記楽曲設定手段は、前記楽曲情報から演奏時間を抽出し、該楽曲情報に追加設定するとしてもよい。
【手続補正５】
【補正対象書類名】明細書
【補正対象項目名】００１５
【補正方法】変更
【補正の内容】
【００１５】
前記調整は、ユーザがインタフェース装置により前記掲揚又は降納に係る速度の増減をすることにより、前記掲揚開始位置と掲揚完了位置との間の移動時間と演奏時間との差を調整する移動演奏調整を含むとしてもよい。
【手続補正６】
【補正対象書類名】明細書
【補正対象項目名】００２０
【補正方法】変更
【補正の内容】
【００２０】
前記昇降機構は、前記楽曲演奏手段と接続した音声スイッチを備え、前記楽曲の信号を検知したときに前記昇降の動作を開始するとしてもよい。
【手続補正７】
【補正対象書類名】明細書
【補正対象項目名】００３６
【補正方法】変更
【補正の内容】
【００３６】
（楽曲情報）
図８は、楽曲情報のデータ構造を示したブロック図である。
ここで楽曲情報として、楽曲識別子８００１、楽曲名８００２、楽曲音声データ８００３そして演奏時間８００４という構造を採用する。
ここでは演奏時間は、楽曲情報に含むデータ構造を採用しているが、本願発明に係る演奏時間はこれに限定されるものではない。楽曲名、演奏音声データ等の楽曲情報を基に抽出された演奏時間を楽音情報に追加する方式を採用することも可能である。
【手続補正８】
【補正対象書類名】明細書
【補正対象項目名】００４０
【補正方法】変更
【補正の内容】
【００４０】
（動作フローチャート２）
図１１は、楽曲設定ユニットと楽曲演奏ユニットを動作させて、旗掲揚装置の演奏による楽曲に旗掲揚を合わせて動作させる場合のフローチャートである。
楽曲設定ステップ１１００１において、ユーザが、制御ユニットのインタフェース部から楽曲情報を入力する。
演奏時間抽出ステップ１１００２において、移動時間設定部が、入力された楽曲情報から演奏時間を抽出する。
移動演奏調整ステップ１１００３において、移動演奏調整部が、演奏時間と移動時間との差が所定の範囲に収まるように移動時間・昇降速度テーブルを参照して昇降速度を決定する。
パターン設定ステップ１１００４において、パターン設定部３００３が、インタフェース部から入力されたパターン識別子に関連付けして予め用意した動作パターンで昇降装置を制御する設定をする。
演奏開始ステップ１１００５において、演奏が開始されると、音声スイッチが演奏の音圧を検知して、昇降機構ユニットの昇降動作を開始させる。
昇降動作ステップ１１００６において、移動演奏調整部及びパターン設定部が、決定または設定した昇降機構ユニットの動作により、演奏速度と昇降速度を合わせて旗掲揚を行う。
昇降完了ステップ１１００７において、旗掲揚に係る業務終了となる。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
旗の掲揚又は降納をする旗掲揚装置であって、ａ）予め設定された掲揚開始位置と掲揚完了位置との間で前記旗の昇降をさせる昇降機構と、ｂ）前記昇降の動作の調整をする制御手段と、を備え、前記制御手段は、ユーザがインタフェース装置により前記掲揚開始位置と掲揚完了位置との間の移動時間を設定する移動時間設定手段を備え、前記調整は該移動時間で前記昇降を完了する昇降速度への速度設定を含むことを特徴とする装置
【請求項２】
前記制御手段は、前記掲揚又は降納の際に演奏する楽曲の楽曲情報の入力を受ける楽曲入力手段を備える楽曲設定手段をさらに備えることを特徴とする請求項１に記載の装置。
【請求項３】
前記制御手段は、前記昇降の昇降速度を変更する速度変更手段を備え、前記調整は該昇降速度の増減を含むことを特徴とする請求項１又は２に記載の装置。
【請求項４】
前記速度変更手段による昇降速度の変更は、前記昇降の動作中においても、実行されることを特徴とする請求項３に記載の装置。
【請求項５】
前記制御手段は、前記昇降の動作パターンを設定するパターン設定手段を備え、前記調整は該動作パターンの選択を含むことを特徴とする請求項1乃至４のいずれかに記載の装置。
【請求項６】
前記動作パターンは、前記昇降の動作の完了に向けて所定の時間を掛けて減速して止まるパターン、所定の時間もしくは移動距離ごとに小休止を繰り返し昇降するパターンから選ばれる少なくとも１つを含むことを特徴とする請求項５に記載の装置。
【請求項７】
前記楽曲設定手段は、前記旗の掲揚又は降納をする際に演奏する楽曲の楽曲情報の設定をすることを特徴とする請求項２に記載の装置。
【請求項８】
前記楽曲情報は、演奏時間を含むことを特徴とする請求項７に記載の装置。
【請求項９】
前記昇降機構は、電気、油圧、水圧、空気圧、ゴム、発条、重力から選ばれる少なくとも１つによる動力で動作することを特徴とする請求項1乃至８のいずれかに記載の装置。
【請求項１０】
前記調整は、前記動力に対する電気的制御、電子的制御、機械的な制御から選ばれる少なくとも１つの動力制御により実行されることを特徴とする請求項９に記載の装置。
【請求項１１】
前記楽曲を演奏する楽曲演奏手段をさらに備え、前記楽曲情報に係る楽曲を前記掲揚又は降納に係る場所に伝達することを特徴とする請求項２に記載の装置。
【請求項１２】
前記昇降機構は、音声スイッチを備え、所定の音圧を検知したときに前記昇降の動作を開始することを特徴とする請求項1乃至１１いずれかに記載の装置。
【請求項１３】
前記昇降機構は、前記楽曲演奏手段と接続した音声スイッチを備え、前記楽曲の信号を検知したときに前記昇降の動作を開始することを特徴とする請求項１１に記載の装置。 
【手続補正２】
【補正対象書類名】明細書
【補正対象項目名】００１４
【補正方法】変更
【補正の内容】
【００１４】
上記楽曲情報は、演奏時間を含むとしてもよい。
【手続補正３】
【補正対象書類名】明細書
【補正対象項目名】００１５
【補正方法】変更
【補正の内容】
【００１５】
(削除)
【手続補正４】
【補正対象書類名】明細書
【補正対象項目名】００３６
【補正方法】変更
【補正の内容】
【００３６】
（楽曲情報）
図８は、楽曲情報のデータ構造を示したブロック図である。
ここで楽曲情報として、楽曲識別子８００１、楽曲名８００２、楽曲音声データ８００３そして演奏時間８００４という構造を採用する。
ここでは演奏時間は、楽曲情報に含むデータ構造を採用しているが、本願発明に係る演奏時間はこれに限定されるものではない。